(57)【要約】本発明は、人体に送達するための、あるいは家庭内及び／又は職場で見られるような無生物表面上で使用するための、成分及び配合のような物質と組み合わせて使用される、拭き取り物品のような基材に関する。この基材は、剪断力感応性マイクロポケットを利用しており、これが、物質を格納し、標的表面に接触している時に剪断力が加わると、前記物質を制御可能に放出する。剪断力感応性マイクロポケットは、基材表面内の微細な規模の３次元区画であり、前記基材が前記標的表面に接触している時に前記基材の表面に沿って剪断力が加わると、前記剪断力が前記マイクロポケットの壁面を実質的に変形させ、前記物質を前記標的表面に放出させる。
2005507271.tif 000002
【特許請求の範囲】
【請求項１】
ａ）基材であって、前記基材が複数のマイクロポケットを有し、前記マイクロポケットが、長さ、幅、及び深さを有し、前記深さの前記幅に対する比が少なくとも１：２、好ましくは０．７：１と２．８：１の間であるもの；並びに
ｂ）少なくとも１つの前記マイクロポケット内の物質であって、前記基材が標的表面に接触している間に剪断力をかけられるまで、前記物質が前記マイクロポケット内にとどまっており、前記剪断力が前記マイクロポケットの壁面を実質的に変形させ前記物質を前記標的表面に放出させるもの、
を含むことを特徴とする拭き取り物品。
【請求項２】
ａ）前記マイクロポケットの前記長さが０．１ｍｍと１００ｍｍの間であり；
ｂ）前記マイクロポケットの前記幅が０．１ｍｍと１０ｍｍの間であり；
ｃ）前記マイクロポケットの前記深さが０．０５ｍｍと１０ｍｍの間であり；
前記基材が１ｃｍ2当り１個から１ｃｍ2当り１００個のマイクロポケットを有することを特徴とする、請求項１に記載の基材。
【請求項３】
前記基材がフィルム、好ましくは多孔質フィルムであり、前記基材の前記マイクロポケット内に含有される少なくとも１つの物質に対して実質的に不透過性であることを特徴とする、請求項１又は２に記載の基材。
【請求項４】
前記基材が不織布であることを特徴とする、請求項１又は２に記載の基材。
【請求項５】
前記基材がエラストマーであることを特徴とする、請求項１又は２に記載の基材。
【請求項６】
前記基材が少なくとも２つの層を有しており、前記層の少なくとも１つが複数の前記マイクロポケットを有することを特徴とする、請求項１〜５のいずれかに記載の基材。
【請求項７】
前記基材の少なくとも１つの前記層が、フィルム、好ましくは多孔質フィルムであり、前記マイクロポケット内に含有される前記物質に対して実質的に不透過性であることを特徴とする、請求項６に記載の基材。
【請求項８】
前記フィルムが、ポリエチレン、ポリプロピレン、ポリビニルアルコール、ポリエチレン−ポリプロピレンコポリマー、及びこれらの混合物から選択されるポリマーで構成されることを特徴とする、請求項１〜３及び６〜７のいずれかに記載のフィルム。
【請求項９】
前記物質が、クレンジング剤、スキンケア剤、薬剤、サンケア剤、鎮痛剤、皮膚軟化剤、滑沢剤、着色剤、防腐剤、香辛料、防臭剤、制汗剤、芳香剤、接着剤、たれ用の調理油、コンディショニング剤、保湿剤、靴の手入れ剤、及び防虫剤、並びにこれらの混合物から選択され、
前記物質が、固いゲル、クリーム、物体、水中油型エマルション、油中水型エマルション、トニック、懸濁液、分散液、湿潤性及び再分散性固体から選択される形態であることを特徴とする、請求項１〜８のいずれかに記載の物質。
【請求項１０】
前記拭き取り物品が、日焼け止め剤拭き取り用品、スキンローション・パッド、床のクリーニング用布地、制汗又はリフレッシュ用拭き取り用品、乳幼児用拭き取り用品であることを特徴とする、請求項１〜９のいずれかに記載の拭き取り物品。
【発明の詳細な説明】
【技術分野】
【０００１】
本発明は、物質を制御して格納及び放出するための基材に関する。具体的には、この基材は、物質を入れておくことができ、生物の表面及び人工表面、例えば、拭き取り用品、パッド、アプリケータ、スリーブ、並びに道具やワイパーなどの使い捨て付属品などに接触した時に物質を調節して放出することができる、剪断力感応性マイクロポケットを含む。
【背景技術】
【０００２】
コンディショニング、拡散、クレンジング、除去、及び関連機能のための基材又は布地は、個人用途及び産業用途の両方に関して商業的に広く知られている。このような製品は、通常、紙又は不織布シートを含んでおり、エマルション、懸濁液などの物質、並びに実際には、例えば顔料、界面活性剤、ワックス、及び医薬品などの機械的、レオロジー的、熱的、又は湿潤的に移動可能ないずれの物質も含むことができる。一般に知られている拭き取り用品は、通常、紙、レーヨン、セルロース、又はポリエステル基材である。これらの基材は、物質の、基材繊維及び基材孔中への毛管輸送及び物理化学的輸送によって機能する。さらに、多量の物質を含有する必要のある用途には、比較的吸湿性のある材料が使用される。これは、物質が相対的に捕捉されるため、それを放出するには大きな力を加える必要があることを意味する。典型的には、捕捉された物質のほんのわずかな部分しか放出されないことが、放出を早く終わらせ、広い表面を被覆する能力に制限を生じさせる結果となる。同様に、吸湿性でないポリプロピレン不織布のような基材は、物質保持能力が低いので、しばしば漏れることがあり、物質の放出があまりにも急速で制御不可能である。ポリマーフィルムに積層化された不織布のような他の基材は物質の漏れを防ぐが、前記積層体では放出速度を制御することができない、又は調節することができない。この問題は、貴重な物質の効率的な送達を保証し、及び／又は、清浄化プラス、コンディショニング又は保湿プラス、日焼け防止のような、多数の消費者利益を同時に達成できるようにする必要がある時に、商業的に重要になる。したがって、吸湿性材料に限らず、さらに多量の物質を格納でき、その後に拭き取り物品の実用的な形態で物質を多く放出できる基材を作り出す必要性は、未だ満たされていない。
【発明の開示】
【発明が解決しようとする課題】
【０００３】
本出願人は、ポリマー製のマイクロポケットフィルム及び／又は不織布を用いて、吸湿性基材に対して高い放出量を達成できることを開示している。これは、マイクロポケットが物質を捕捉せず、剪断力感応性挙動を示し、拭き取り時に実質的に開口してその内容物を放出するからである。驚いたことに、剪断力感応性マイクロポケットは、これだけに限るものではないが、格納された物質のより完全で効率的な放出、吸湿性材料を必要としない高い物質格納能力、並びに、標的表面へのより制御された拭き取り感応性の物質送達を含む、新規利益を生み出す。物質の格納及び放出のために剪断力感応性マイクロポケットを利用するこの革新技術は、例えば選択した物質を基材上に噴霧又は拡散させることによって、製造者が物質を基材に事前装填するか、エンドユーザーが基材に装填するかに関わらず、利用可能である。したがって、本発明の目的は、皮膚、毛髪、ペットの毛皮、歯のような生物表面上に、あるいは硬質表面、ガラス、床、木材、塗装面などのような無生物表面上に物質を付着させる、前記利益を提供することである。これら及びその他の目的、利点、及び新規特徴については、以下の説明及び特許請求の範囲から当業者には明白となる。
【課題を解決するための手段】
【０００４】
本発明は、基材と少なくとも１つの物質とを含む拭き取り物品に関し、前記基材は複数のマイクロポケットを有する。マイクロポケットは、長さ、幅、及び深さを有しており、前記深さの前記幅に対する比が少なくとも１：２である。物質は、マイクロポケットの中に含有される。物質は、基材が標的表面と接触している間に剪断力をかけられるまで、マイクロポケット内にとどまっている。剪断力は、前記マイクロポケットの壁面を実質的に変形させ、前記物質を前記標的表面に放出させる。
【０００５】
本発明はさらに、少なくとも１つの物質を標的表面に適用する方法に関する。この方法は、前記物質が含有される複数のマイクロポケットを有する基材を提供することを含んでおり、前記マイクロポケットは幅及び深さを有し、前記深さの前記幅に対する比は少なくとも１：２である。基材は、前記標的表面に接触して置かれる。前記基材が前記標的表面と接触しているときに、前記基材の表面に沿って剪断力が加えられ、前記剪断力が前記マイクロポケットの壁面を実質的に変形させ、前記物質を前記標的表面に放出させる。
【発明を実施するための最良の形態】
【０００６】
本明細書は、本発明を特に指摘し明確に請求する特許請求の範囲をもって結論とするが、本発明は、以下の説明を添付の図面と併せ読むことによってより良く理解されると考えられており、図面では、類似の参照番号は、類似の要素を示す。
【０００７】
本明細書で使用する時：
「基材」は、フィルム、不織布、多孔質膜、多孔質フィルムで作製された固体状の材料、あるいは別の物体又は耐久性のある品目の上の薄いコーティングを指す。
【０００８】
「物質」は、単一材料又は配合物又は反応混合物のいずれかの組成物を指し、これが基材の中に含有され、格納され、又はそうでなければ不動化される。組成物は、液体、気体、粉末、又は自己発泡性のゲル、半固体、ペースト、スティック、ゴム、エマルション、水、懸濁液、分散液、水性ラテックス、粒子、微小球などのような状態のいずれかの具現形にすることができる。物質は、基材のような封じ込め媒体から表面上へと移動させることができる。
【０００９】
「フィルム」は、平坦な孔のないフィルム、並びに多孔質フィルム、例えばミクロ孔質、ナノ孔質、独立気泡もしくはは連続気泡の通気性フィルム、又は孔あきフィルムを含めた、ポリマーフィルムを指す。
【００１０】
「不織布」は、個々の繊維又は糸の構造を指し、これらを層間に入れて、基材の形態をした材料片を形成する。これらは、様々なプロセスによって形成することができ、それには、メルトブロー、スパンボンディング、ボンデッド・カーデッド（bonded carded）、熱誘導式相分離とその後の延伸及びリンギング（ringing）、並びに水流交絡が挙げられるが、これだけに限るものではない。
【００１１】
「拭き取り」は、標的表面に接触している時に基材が受ける剪断作用を指す。これには、手又は身体の動き、表面上での基材−道具間の動き、あるいは、超音波、機械的振動、電磁気現象などのようなエネルギー源を介した基材の摂動が含まれる。
【００１２】
「装填」は、標的表面への物質送達の準備の際に、物質を基材に適用することを指す。装填方法には、含浸、スキージング（squeegeeing）、噴霧、ドットマトリックス付着、スロットコーティング、印刷、充填、浸漬、並びに基材の選択された領域上への横方向又は基材の様々な深さにおける個々の成分の刷り込みが含まれる。
【００１３】
「放出割合」は、拭き取りの後で、装填された材料のどれだけ多くが基材から滲出するかを指す。これは、基材上に初めに装填された物質の量と、消費後に基材から取り除かれた物質の量との間の差分を、基材上に初めに装填された物質の量で割ったものとして計算され、この量に１００を乗じて、物質の放出された割合が得られる。
【００１４】
「感応性」は、拭き取り動作に付随して剪断力が付加される時の、基材のマイクロポケットの変形を指す。理論に制限されるものではないが、マイクロポケットは静止時にはほぼ閉じていて、動作時及び標的表面との接触時の剪断力の結果として、マイクロポケットが実質的に開いて物質を標的表面に流すと考えられている。
【００１５】
「持続放出」は、増加した放出割合を指す。このことが図７に示されており、不織布に積層化されたマイクロポケットフィルムが、対照試験の、不織布に積層化された平坦なフィルムに比べ、同じ装填量でどれだけ高い持続放出を有するかを明示している。
【００１６】
「順次放出」は、１つ以上の物質の連続した段階的放出を指す。例えば、同一の物質を基材の２つの層に配置することができ、その後一方の部分の物質を放出してから、他の部分の物質を放出する。あるいは、ある物質を１つの場所に格納することができ、完全に独立した物質を基材の別の場所に格納することもできる。例えば、マイクロポケットを備えた１層のフィルムを、マイクロポケットを備えた多孔質不織布の別の層に積層化する。これは、コンディショニング及び清浄化のような分離した別個の機能を果たす物質、例えば固形石鹸及び液体の皮膚コンディショナーなどを送達する際に特に有益である。これにより、個々の成分を組み合わせることが、特殊な配合及び乳化剤の必要なしで可能になる。異なる場所とは、マイクロポケットの同じ層の２つの場所、又は２つの異なる層、あるいは２つの異なる時間を意味することがある。
【００１７】
図１〜４は、本発明の、基材上の剪断力感応性マイクロポケットの例示的な実施形態を示す。物質が含有される剪断力感応性マイクロポケットは、基材１１の表面内の微細な規模の３次元区画であり、通常、区画の深さＤが（図３に示すように）区画の幅Ｗと同じ又はそれ以上の規模のサイズを有し、区画の壁面が、基材のマイクロポケットのない領域と等しい又はそれ以上の可撓性を有する。図３は、台形状の形をしたマイクロポケット１５の断面図の例示的な実施形態を示しており、基材１１内に物質２５が含有される。図３Ａは、ポリエチレンフィルム１１内のマイクロポケット１５の断面の同様の実施形態の写真を示す。図４は、空のマイクロポケット１５Ａと、ポリエチレンフィルム１１内にローション２６が充填されたマイクロポケット１５Ｂとの、別の実施形態の写真を示す。マイクロポケットのサイズの規模は、マイクロポケットが存在する布地又は湿式拭き取り用品のような典型的な基材物品よりも実質的に小さい。図１〜４に１０で例示するように、これら複数のマイクロポケットが基材１１内に配列されて共存している時には、図５Ａ〜５Ｄに示すように個々のマイクロポケット１５の壁面５０が、標的表面の拭き取り時に発生する剪断力Ｓに直接反応して実質的に変形する。図５Ａ〜５Ｄに示すように、剪断力Ｓは、ポリエチレンフィルム基材１１の表面に沿って作用する。マイクロポケットが変形すると、その中に含有される物質が、変形したマイクロポケットから流れ出る。この使用には、例えば、清浄化、コンディショニング、あるいは別に、含有される物質を表面に送達させる目的で、基材を表面に適用することが含まれるが、これだけに限るものではない。図６Ａ〜６Ｃを参照すると、マイクロポケット１５を具備した基材１１上に圧縮力Ｃが作用している場合、マイクロポケットの壁面５０が圧潰してマイクロポケットを閉ざし、マイクロポケット内の物質の放出を妨げる。剪断力感応性マイクロポケットの寸法は、格納及び放出すべき物質の粘度、並びに物質による基材の湿潤性に応じて変えることができる。例えば、清浄化用流動体又は水のような低粘性物質をポリエチレンマイクロポケットフィルムに格納しそこから放出するのに有用なマイクロポケットの寸法は、図１〜図４に示すように、幅Ｗが約０．４〜約２ミリメートル、深さＤが約０．３〜約１．３ミリメートル、長さＬが約１〜約１５ミリメートルである。クリーム又はローションのようなより粘稠な物質を格納及び放出するのに有用なマイクロポケットの寸法は、幅Ｗが約０．５〜約２ミリメートル、深さＤが約０．８〜約１．３ミリメートル、長さＬが約１〜約１５ミリメートルである。
【００１８】
剪断力感応性マイクロポケットを備えた基材と、その後に前記基材を物質と組み合わせた結果、除去、清浄化、研磨、コンディショニング、保湿、洗浄、付着、コーティング、拡散などのような広範な作業にわたって拭き取り物品を使用する際に起こる、手による拭き取りの自然な解剖学的動作に物理的に適した物品が得られる。本発明に使用するのに好適な基材材料の例が、米国特許第５，９６８，０２９号（チャッペル（Chappell）他）に記載されており、これを参照により本明細書に組み入れる。驚いたことに、本発明において、剪断力感応性マイクロポケットが、物質の格納と放出の両方の制御をもたらすことが見出された。
【００１９】
また、固形物質から流動性のある低粘性物質までのレオロジー範囲の物質を格納及び放出する需要も存在する。剪断力感応性マイクロポケットを含む基材は、広範なレオロジーを格納し、制御可能に放出できるようにすることによって、この需要を満たす。マイクロポケットは、送達すべき物質のレオロジー特性及び表面特性に合致するようにサイズ、形状、及びパターンを適合させることのできる区画としての働きをする。本発明のマイクロポケット基材は、主に拭き取り時の剪断力の付加によって誘発されるが、さらに、磨耗、加熱による流動の誘起、並びに成分の湿式分散又は軟化とその後の物品からの放出とによって誘発させることもできる。
【００２０】
本発明は、本明細書に記載される本発明の必須要素、並びに本明細書に記載される追加成分又は任意成分及び構成成分のいずれかを含み、それらから成り、あるいは本質的にそれらから成ることができる。本発明は、放出のより良い持続性及び完全性、より良い価値、使用の容易さ、および送達可能な物質の多様性につながる、改善された格納及び放出性能を提供する基材物品に関する。本発明の基材を調製するのに使用される必須構成成分及び任意構成成分、並びにそれらを調製及び使用するプロセスについて、以下で詳細に説明する。
【００２１】
必須構成成分
（基材）
基材材料は、繊維性基材、例えば、不織布、織布、ニット、及び／又はフィルム基材、例えば、フィルム、膜、シート、孔あきフィルム、発泡体、及び弾性基材、又はこれらの組み合わせと組み合わされた、剪断力感応性マイクロポケットを含む。本発明の基材は、物質を入れておき、消費者の使用に応じてその物質を放出する。
【００２２】
（剪断力感応性マイクロポケット）
剪断力感応性マイクロポケットは、基材の表面内の微細な規模の３次元区画であり、典型的には、区画の深さが区画の幅と同じ又はそれ以上の規模のサイズを有し、区画の壁面が、基材のマイクロポケットのない領域と等しい又はそれ以上の可撓性を有する。個々のマイクロポケットの形態も変化させることができ、例えば、孔のないマイクロポケットおよび多孔質マイクロポケット；図８に示すようなマイクロポケット付き基材層１１及び１２の背面同士の組み合わせ；基材層の片面上のマイクロポケット；図９に示すような入れ子構造のマイクロポケット１５Ａ及び１５Ｂ；図１０Ａに示すような噛み合わされたマイクロポケットの組み合わせ１５Ａ及び１５Ｂ；図１０Ｂに示すような所与のいずれかの基材層の両側のマイクロポケット１５Ａ及び１５Ｂ；図１１に示すような丸いマイクロポケット１５、及び図１２に示すような多葉状（multi-lobal）マイクロポケットにすることができる。マイクロポケットの形態以外に、マイクロポケット付き基材とマイクロポケットのない基材との組み合わせも考えられ、例えば、図１３は、穿孔部１８及び１９を備えたマイクロポケット付き基材層２１及び２２と、マイクロポケット付き層の間にある別の任意基材層１７との組み合わせの実施形態を示している。
【００２３】
物質の格納及び放出を達成するための本発明の手法は、その上にマイクロポケットが形成された基材を利用することであり、静的な状態では基材中に装填された物質が格納されており、剪断力をかけられると、マイクロポケットから物質が放出される。この点を説明すると、１５０ｍｍ×２００ｍｍのシートの形態をしたポリエチレンフィルムは、そのようなマイクロポケットを２０００個、一様又はランダムな配列で含有することができ、例えば、そのようなマイクロポケットの配列の実施形態が図１に示されている。このマイクロポケットフィルムシートを不織布に結合させると、例えば、装填可能で、一様に持続的に物質を制御して放出できる、拭き取り基材が形成される。マイクロポケットのない同じ基材材料の平坦なフィルムを不織布に結合させて作製された拭き取り用品を用いて対照実験を実施すると、十分に制御されない放出が起こり、物質が、短時間の持続時間にわたって不均一に放出される。マイクロポケットを備えた不織布のような繊維性基材の場合、「多孔質マイクロポケット」と、不織布基材全体にわたって形成された大小の孔の領域ができる。
【００２４】
（繊維性基材）
基材材料は、また、合成織布、合成ニット、ニット及び耐久性布帛、織布布帛、不織布、繊維性又は粒子状材料、あるいはこれらの積層体及び組み合わせで構成してもよい。不織布は、次の方法：スパンレース、スパンボンディング、メルトブロー、カーディング、湿式開孔、湿式絡合又は水圧絡合、エアスルー・ボンディング、カレンダーボンディング、又はこれらの組み合わせのいずれかによって作製してよいが、これだけに限るものではない。不織布基材を、様々な天然材料及び合成材料で構成してもよい。天然とは、材料が、植物、動物、昆虫由来、あるいは植物、動物、及び昆虫の副産物由来であることを意味する。合成とは、材料が主に様々な人工材料から得られるか、又は天然材料からさらにそれを改変させて得られることを意味する。従来のベースとなる出発材料は、普通、一般的な合成又は天然の織物長の繊維、又はそれらの混合物のいずれかを含む繊維性基材である。本発明で有用な天然材料の非限定的な例は、絹繊維、ケラチン繊維、及びセルロース繊維である。ケラチン繊維の非限定的な例には、羊毛繊維、ラクダの毛繊維などから成る群から選択されるものが挙げられる。セルロース繊維の非限定的な例には、木材パルプ繊維、綿繊維、大麻繊維、黄麻繊維、亜麻繊維、及びこれらの混合物から成る群から選択されるものが挙げられる。本発明で有用な合成材料の非限定的な例には、アセテート繊維、アクリル繊維、セルロースエステル繊維、ポリアミド繊維、ポリエステル繊維、ポリオレフィン繊維、ポリビニルアルコール繊維、レーヨン繊維、ポリウレタン発泡体、及びこれらの混合物から成る群から選択されるものが挙げられる。これらの合成材料のいくつかの例としては、アクリラン、クレスラン、及びアクリロニトリルを主体とする繊維、オルロンのようなアクリル類；セルロースアセテート、アーネル、及びアセレのようなセルロースエステル繊維；ナイロン（例えば、ナイロン６、ナイロン６６、ナイロン６１０など）のようなポリアミド類；フォルトレル、コデル、及びポリエチレンテレフタレート繊維、ダクロンのようなポリエステル類；ポリプロピレン、ポリエチレンのようなポリオレフィン類；ポリビニルアセテート繊維；ポリウレタン発泡体、並びにこれらの混合物が挙げられる。これら及び他の好適な繊維、並びにそれらから調製される不織布材料が、一般に、「不織布の世界（Nonwoven World）（１９８７）」のリーデル（Riedel）の「不織布の結合方法及び材料（Nonwoven Bonding Methods and Materials）」；並びに「アメリカーナ百科事典（Encyclopedia Americana）」（１９８４年）第１１巻１４７〜１５３ページ及び第２６巻５６６〜５８１ページに記載されており、これら全ての全体を参照により本明細書に組み入れる。天然材料製の不織布基材は、最も一般的には繊維の液体懸濁液から微細なワイヤースクリーン上で形成される、基材又はシートを含む。Ｃ．Ａ．ハンペル（C.A.Hampel）らの「化学百科事典（The Encyclopedia of Chemistry）」第３版、１９７３、７９３〜７９５ページ（１９７３年）、「アメリカーナ百科事典（The Encyclopedia Americana）」第２１巻３７６〜３８３ページ（１９８４年）、及びＧ．Ａ．スムーク（G.A.Smook）の「パルプ及び紙の技術ハンドブック（Handbook of Pulp and Paper Technologies）」、パルプ製紙工業技術協会（Technical Association for the Pulp and Paper Industry）（１９８６年）を参照のこと。なお、これらの全体を参照により本明細書に組み入れる。本発明で有用な天然材料製の基材は、多種多様な市販品から入手することができる。本明細書で有用な、市販の好適な紙層の非限定的な例には、スオミネン社（Suominen）から得られるポリプロピレン／レーヨンであるエアテックスＲ（AirtexR）、ジェームス・リバー社（James River）（ウィスコンシン州グリーンベイ）から入手可能なエンボス加工エアレイドセルロース層；並びにワルキソフトＵＳＡ社（Walkisoft U.S.A.）（ノースカロライナ州マウントホリー）から入手可能なエンボス加工エアレイドセルロース層であるワルキソフトＲ（WalkisoftR）が挙げられる。また、本発明で有用な合成材料製の不織布基材も、多種多様な市販品から入手することができる。本明細書で有用な、好適な不織布層材料の非限定的な例には、ＢＢＡノンウブンズ社（BBA Nonwovens）から得られるポリオレフィン系不織布である、エクセル（Excell）（登録商標）、ソフスパン（Sofspan）（登録商標）、ソフテックス（Softex）（登録商標）、コロリンド（Corolind）（登録商標）、及びセレストラ（Celestra）（登録商標）；すべてＰＧＩ／チコピー社（PGI/Chicopee）（ニュージャージー州デートン）から入手可能な、約７５％のレーヨンと約２５％のアクリル繊維とを含有する乾燥成形された孔あき材料であるキーバック（Keybak）（登録商標）９５ＩＶ、約１００％のレーヨンを含有する孔あき湿式絡合材料であるデュラレース（Duralace）（登録商標）１２３６、約１００％のポリエステルを含有する孔あき湿式絡合材料であるデュラレース（Duralace）（登録商標）５９０４；デュポン・ケミカル社（Dupont Chemical Corp.）から入手可能な約５０％のナイロンと約５０％のパルプとを含有する孔あき湿式絡合材料であるソンタラ（Sontara）（登録商標）８８７７が挙げられる。上記で論じたように、本発明の基材材料には、前述の材料の積層体もまた含んでよい。積層体は、当業者に既知であるどの数の結合方法によって組み合わせても良く、それには、熱結合、これだけに限るものではないが、スプレー接着剤、ホットメルト接着剤、ラテックスを主体とする接着剤などを含めた接着結合、音波及び超音波結合、並びに、ポリマーを別の基材上に直接キャスティングし、まだ部分的に溶融状態にある間に基材の片面に結合させる、あるいはメルトブロー繊維不織布を基材上に直接付着させることによる、押出し積層化が挙げられるが、これだけに限るものではない。基材は、約１〜１０００ｃｍ2の範囲の表面積をもつ、平らなパッド、厚いパッド、薄いシート、ボール形の道具、不規則な形状の道具を含めた多種多様な形状及び形態に作製することができる。正確なサイズは、格納及び放出される物質、所望の用途、及び全体的な製品の特徴によって異なる。
【００２５】
（フィルム基材）
フィルム基材材料は、直鎖状低密度ポリエチレン（ＬＬＤＰＥ）、低密度ポリエチレン（ＬＤＰＥ）、超低密度ポリエチレン（ＵＬＤＰＥ）、高密度ポリエチレン（ＨＤＰＥ）を含むポリエチレン又はポリプロピレンのようなポリオレフィン、並びにこれらと前述及び他材料とのブレンドを含んでもよい。使用し得る他の好適なポリマー材料の例には、ポリエステル、ポリウレタン類、水溶性ポリマー類、堆肥化可能又は生分解可能ポリマー類、熱収縮ポリマー類、熱可塑性エラストマー類、メタロセン触媒を主体とするポリマー類（例えば、ダウ・ケミカル社（Dow Chemical Company）から入手可能なインサイト（Insite）（商標）及びエクソン社（Exxon）から入手可能なエグザクト（Exxact）（商標））、並びに通気性ポリマー類、孔あきフィルム、巨視的に伸張された３次元成形フィルム、発泡体、充填組成物が挙げられるが、これだけに限るものではない。上記で論じたように、基材材料は、１層以上の弾性層と１層以上の非弾性層との積層体、ポリエチレン又はポリプロピレンの熱可塑性フィルムのようなポリマーフィルム、フィルムコーティングされた不織布材料のような複合材料、あるいは１つ以上の孔又は孔あき領域を含む材料を含んでもよい。代表的なポリエチレンフィルムが、クロペイ・プラスチック・プロダクツ社（Clopay Plastic Products Co.）（オハイオ州シンシナティ）からＰ１８−１４０１の表記で、また、エチル社（Ethyl Corporation）のビスクイーン部門（Visqueen Division）（インディアナ州テレホート）からＸＰ−３９３８５の表記で製造されている。この部類の基材には、膜、ミクロ孔質膜、天然スポンジ、合成スポンジ、ポリマー網状メッシュ、成形フィルムなどが挙げられる。代表的な水溶性ポリマーフィルムには、ポリビニルアルコール、ポリエチレンオキシド、ビニルアルコールとポリ（オキシレン）アクリレートとのコポリマー、及びヒドロキシプロピルセルロースが挙げられる。
【００２６】
（物質）
消費者製品において使用される物質、例えば、靴墨、塗料、ラッカー、ニス、金属磨き、カーワックス、窓ガラス用クリーナー、床用クリーナー、床磨き、植物肥料セラム、調理油、布地クリーナー、カーペットクリーナー、洗濯用コンディショナー、洗濯用洗剤、離型剤物質、日焼け止め剤、メークアップ用品、注水洗浄器（douche）、痔疾用クリーム、飲料、練り歯磨き、歯磨きジェル、歯のホワイトニングジェル、ピーナッツバター、牛乳、クリーム、水、脱毛クリーム、滑沢剤、殺精子剤、シェービングクリーム、シェービングジェル、芳香剤、香料、アフターシェーブ物質、制汗剤、防臭剤、顔料、石鹸、タルク粉末、ベーキングパウダー、風味剤、スパイス、ソース、水性ゴムラテックス、口腔検査液、鎮咳薬、サンタンオイル、皮膚用日焼け状着色剤、毛髪染料、毛髪脱色剤、入墨、インク、チョーク、健康診断又は法医学検査用の患者の尿／血液／汗、クレヨン、プリンタトナーインク、写真用フィルムエマルション、アルカ・セルツァー（Alka-Seltzer）（登録商標）のような発泡性製剤、ビタミン類、油及びハーブのような栄養物質、指紋採取インク、携帯式給水装置、潤滑油、皮膚コンディショナー、アイシャドー、ファンデーション、コーク（caulk）、錆止め剤、トイレに流すことのできる配水管洗浄剤、目薬、点鼻薬、のど薬、うがい薬、皮膚用バーム、局所用アレルギークリーム、超長時間持続するチューインガム、ケロシン、バーベキュー用の炭の着火液、ライターオイル、噛みタバコ、ケチャップ及び他の香辛料、スープ、宇宙食、ジェロー（Jello）（登録商標）、アーマオール（Armor All）（登録商標）、タイヤ及びビニールクリーナー、金属パイプのような湾曲表面用の塗料、原油、ｐＨ指示組成物、妊娠検査薬、傷用軟膏、傷用親水コロイド剤、日光皮膚炎用アロエベラジェル、火傷予防及び消毒用局所製剤、研磨ペーストなどを、本発明で使用することができる。この物質は、広範な他の任意成分を含むことができる。これらの追加成分は、哺乳類の皮膚上で使用される時には、製薬上許容できるものにすべきである。ＣＴＦＡ化粧品成分ハンドブック（The CTFA Cosmetic Ingredient Handbook）、第２版（１９９２年）は、多種多様な非限定的化粧品及び薬剤成分を記載しており、この文献の全体を参照により本明細書に組み入れる。これら及び他の物質の例には、研磨材、固化防止剤、皮膚軟化剤、液体炭化水素、ペトロラタム、リン脂質、ポリシロキサンポリマー、アルキル置換ポリシロキサンポリマー、酸化防止剤、ビタミン類、結合剤、生物学的添加物、緩衝剤、充填剤、キレート剤、化学的添加剤、着色剤、抗真菌剤、化粧用収斂剤、化粧用殺生物剤、変性剤、薬物収斂剤、外用鎮痛剤、被膜形成剤、芳香剤成分、保湿剤、不透明化剤、ｐＨ調整剤、防腐剤、噴射剤、還元剤、皮膚漂白剤、及び日焼け止め剤が挙げられる。他材料には、乾燥すると、適用された表面上に力を生じさせる、制御された応力分散液が挙げられ、これらは、皮膚の皺防止剤として、又は表面上のきめ形成のためなどに使用される。皮膚の皺防止剤は、陰イオン性ポリマー、被膜形成無機コロイド、油溶性有機−無機コポリマーを含む配合であって、好ましくは、永続性のために、例えば１日中続く皮膚の皺平滑化利益のた���に、接着剤及び弾性材料と組み合わされる。陰イオン性ポリマーには、ポリスチレンスルホン酸ナトリウム、例えばナショナル・スターチ社（National Starch corporation）から得られるフレキサン（Flexan）（登録商標）１３０、ポリスチレンスルホン酸カリウム、硫酸ポリビニル、ポリスチレンスルホン酸ナトリウムと無水マレイン酸とのコポリマーなどが挙げられる。被膜形成無機コロイドには、水中のコロイド状シリカ、例えばナルコ・ケミカル社（Nalco chemical）から得られるナルコ（Nalco）（登録商標）１１１５が挙げられる。油溶性有機−無機コポリマーには、ゼネラル・エレクトリック社（General Electric）から得られるＭＱ（登録商標）シロキシシリケート樹脂が挙げられる。接着剤及び弾性材料には、油溶性エラストマー、例えば、シェル・オイル社（Shell Oil Company）から得られるクレイトン（Kraton）（商標）ＬＶのようなスチレン−イソプレンコポリマー、ＢＦグッドリッチ社（BF Goodrich Company）から得られるヒストレッチ（Hystretch）（登録商標）スチレン−アクリレートエマルションのようなアクリルエラストマー格子が挙げられる。
【００２７】
（物質の物理的特性）
流動体の場合、相対表面エネルギーは、封じ込め性と、「装填性（loadability）」と、使用する最適ポケットサイズとを決定する。流出又は放出には粘度が重要であり、拭き取り、湿度、熱、濡れ、摩擦、拭き取りなどによって誘発され、事実上、水、ガラスクリーナー、クリーム、ペースト、ワックス、被膜形成剤、縮小化皺防止イオン性ポリマー、油主体の配合物、グリース、医薬品懸濁液から、当該技術分野で既知のいかなる物質又は製品組成物にも有用性を広げている。例えば固体物質の場合などの直接的な移動では、装填されたマイクロポケットを標的表面に機械的に接触させることによって放出が開始される。本明細書の拭き取り製品に採用される流動体物質は、好ましくは約０．１センチポアズ〜約１，０００，０００センチポアズの範囲内の粘度を有しており、物質の粘度は、基材のマイクロポケットの寸法及び機械的特性に基づいて選択される。流動体物質の場合、好ましい粘度は、０．５〜５００，０００センチポアズである。より好ましい粘度は、１センチポアズ〜２５０，０００センチポアズである。これらの粘度は、約１００ｓ-1の範囲内の速度の剪断条件下で推算される。典型的な物質の粘度は、清浄化用の流動体には１〜１００センチポアズ、日焼け止めローションには５００〜１０００センチポアズ、ボディクリーム及びジェルには１０００〜５０００センチポアズ、界面活性剤及びポリマーペーストには５０００〜３００００センチポアズである。利用可能な好ましい形態及び組成物は、実施例の項に列記されており、降伏点、ずり粘度、及びクリープ回復の点で全てのレオロジー形態が含まれ、これには、固体粒子、レオペクティック（rheopectic）ずり増粘物質、スティック、ゲル、ペースト、クリーム、粉末、コンパクト、スラリー、泥粘土混合物、コンクリート混合物、水性分散液、例えば塗料、懸濁液、ローション、セラム、糊、固化した固体、エマルション、マイクロエマルション、ナノ分散液、コロイドが挙げられるが、これだけに限るものではない。粘度変性剤を、粘度及びレオロジー特性（例えば、降伏点、ゲル状態、拡張粘度、温度に対する流れの応答性など）の両方を変化させることのできるこれらの物質のいずれかに含めることができることに留意されたい。
【００２８】
（任意成分）
本発明の物質及び基材要素は、任意選択で他の材料及び装置と組み合わせて、発明の用途及び価値を広げることができる。例えば、基材と物質とを組み合わせたものを、ハンドル、スキージー、又はブラシのような道具に取り付けることができる。さらに、基材と物質とを組み合わせたものを、押出し又は回転させるモータ、剪断力を付加する振動アームなどのような、エネルギー生産装置に組み込むか、又は取り付けることができる。また、基材と物質とを組み合わせたものを、手袋、スリーブなどのような手を使う物品上に組み込むこともできる。また、他材料を取り付けて、追加的な特徴を提供することもできる。これら他材料の非限定例には、スポンジ、発泡体、剛性ブラケット又はホルダ、ハンドル、ストラップなどが挙げられる。さらに、材料を追加して、基材の製品設計を包装し適合させることができる。例えば、拭き取り品の中に含有される物質を、使用する時点まで空気又は水分から保護する、剥ぎ取りポリマーフィルム層がある。
【００２９】
（物質と組み合わせた基材の調製）
本発明の物品は、物質を基材上又は基材内に加えることによって製造される。基材にコーティングする又は染み込ませる技術は、当業者に既知のいずれかの手段によって達成することができ、例えば、噴霧、静電噴霧、スロットコーティング、印刷、飛沫、含浸、浸漬、沈積、コーティング、浸水コーティング、又は定量散布による。通常、基材に染み込ませるために使用されている、マイヤーロッド（Meyer-rod）、フローティングナイフ、又はドクターブレードのようなより特殊な技術もまた本明細書で使用してもよい。これで基材が、当該技術分野において既知の様々な水分及び蒸気不透過性包装のいずれかに包装される。
【００３０】
マイクロポケットの作製は、米国特許第５，５１８，８０１号に例示されており、これには、その上にマイクロポケットを備えた基材を作製するプロセスが記載されている。なお、この特許を参照により本明細書に組み入れる。例えば、米国特許第５，５１８，８０１号に例示されているような成形プレートを用いる液圧プレスにおいて、不織布およびフィルムのシートの上にマイクロポケットが形成される。図１４は、フィルム１１上のマイクロポケットのパターン１０を示す。マイクロポケットの幅は約０．５０ｍｍ、マイクロポケットの深さは約０．８５ｍｍ、マイクロポケットの長さは約６．０ｍｍである。マイクロポケットフィルムと不織布とは、ヒートシール装置と結合プレート、あるいは超音波シール装置と結合プレートを用いて、積層化又は１つに結合させることができる。図１５には、多数の点１５０において基材層を結合させるパターンを有する、結合プレート１６０が示されている。次いで、例えば穴が開けられ、その中を物質が流れるパイプから噴霧することによって、物質が基材上に装填される。物質２６は、多孔質の不織布側を通って装填され、その後図１６に示すように、マイクロポケット１５に到達してそれを充填する。基材の３００ｃｍ2の領域に、約７．３ｍｌの物質が装填される。これは、１平方センチメートルの基材内に、０．０２４ミリリットルの物質があることと等価である。物質と基材とを組み合わせるこの転換工程には、含浸、スキージング、噴霧、グラビア印刷、ドットマトリックス付着、スロットコーティング、印刷、充填、浸漬、個々の成分の刷り込み、個々の層に染み込ませ又はコーティングした後で前記装填された層を合わせて結合させることが挙げられるが、これだけに限るものではない。この物質と基材との組み合わせは、全基材上、基材の個々の層、基材の片側、基材上への連続的又は不連続パターンでの付着、基材の様々な深さ又は層への物質の組み込みで行うことができる。例えば、物質を基材の一層に充填し、その後基材を上層と結合させ又は基材の「キャップ」を外して、物品を、使用時に放出する、「触ると乾いた状態」にする。さらに、多種多様な層結合パターン及びマイクロポケット配列、幾何学形状、微構造、深さ、幅、及びパターンを使用することができ、そのうちのいくつかを図１７〜２７に示す。
【００３１】
（基材と組み合わされた物質の使用方法）
一例として、物質が装填された拭き取り基材物品を、皮膚、フローリングなどのような表面に適用し、物質を送達させて所望の機能を果たさせる。基材は、消費者の手の中で保持され、表面を横切るように撫でることによって、又は基材と物質とを、ブルームスティック、火ばし又はピンセットのような把持道具、移動式プレート又は機械などの道具に取り付けることによって、あるいは表面（例えば消費者の腕上の覆い）に取り付けてそれを後で移動させて放出を誘発させることによって、使用することができる。本発明を使用する好ましい方法は、摩擦又は剪断力を受ける製品の状況では、とりわけ物質を方向転換、保管、一時不動化、放出、及び／又は送達することである。これには、衛生物品、清浄化布地、女性用衛生衣類、生理用パッド、失禁下着、ライナー、包帯が挙げられるが、これだけに限るものではない。
【００３２】
本発明の使用の追加的な例には、物質が装填された包装ライナー又は蓋；シャワーキャップ、並びに身体に接触させて含有される物質を移動させることのできる他の個人衛生物品；性交時の剪断作用を受けて放出される滑沢剤又は殺精子剤を具備したコンドーム；濾過並びに空気又は流動体の清浄化を支援する物質を具備したフィルタ；異なる個々のマイクロポケット内あるいはマイクロポケット基材の異なる層に分離して装填された、顔料及びグリセリンのような別個の個々の成分の送達を含む、広げる時又は塗り付ける時に皮膚に色及びファンデーションの全ての形態を送達するファンデーション物品；靴クリーム用拭き取り用品、皮革手入れ用拭き取り用品；車窓清浄化用拭き取り用品、硬質表面の清浄化のための、手の挿入部が具備された湿潤／乾燥拭き取り基材又はスリーブ；湿潤性石鹸マトリックス洗顔布；ボディローション又はボディ洗浄パッド；爽快感を付与する拭き取り用品；防臭剤送達用拭き取り用品；注水洗浄器（douche）付きパンティライナー；足の動き及び接触によるマイクロポケットの剪断時にローションを放出するストッキング；運動及び着座時に抗真菌薬を放出するパンティパッド；例えばロースト前の肉のコーティング用並びに効果的な低脂肪調理用の、失敗せずに適用するための油又はバター拭き取り製品；剪断力によって誘発される空気清浄剤及び脱臭剤を具備した靴の中敷；水の使用量が少なく石鹸が目に入りにくい子供用シャンプー拭き取り用品；包装時の相互作用を避け、その後の使用時に毛髪上で組み合わせるために、マイクロポケットの別個の層内又は異なる個々のマイクロポケット内に設置された毛髪着色剤及び脱色剤；全身に日焼けの色を付けるための人工的皮膚日焼け調色拭き取り用品；放出を保持し、マッサージ師の手を汚さないマイクロポケット基材内のマッサージオイル；化学薬品から手を保護し、毛を除去する皮膚との接触を改善する必要のあるような脱毛拭き取り用品；皮膚とマイクロポケット基材との相対運動によって放出が増加する、拭き取り用品の形態又は皮膚上に付けたままにする形態の経皮的鎮痛剤；動きながら洗浄でき、犬及び猫が嫌がる水が最小限で済む、ペット用浴槽又は医薬品アプリケータ；使い捨て拭き取り用品内に入れる、又はマイクロポケットに充填して再使用されるガラスクリーナー；放出及び除去用の、片側にマイクロポケットフィルム、背面に紙タオルを具備した表面清浄化拭き取り用品；刷毛が必要なく手を汚さず、使い捨て可能で塗料を新鮮に維持する、塗料用拭き取り用品；手を汚さず大きい面積の被覆が容易なカーワックス液用拭き取り用品；摩擦及び剪断力付加時に放出する流動体懸濁液又は研磨剤の入った研磨布；携帯及び使い捨て可能な歯科衛生用の、あるいは手で歯ブラシを扱うことのできない子供に歯の磨き方を教えるための、コット（cot）のように指を覆って嵌め、歯を擦るとペーストが放出される歯磨きペーストのストリップ；布を擦ると薬が皮膚の荒れた又は疾病領域に送達される、抗炎症剤又は防臭剤あるいは乾癬薬のような治療薬を具備した衣類挿入パッド；時間と共に緩やかに、並びに長期間にわたって椅子に着座している時の自然な動き又は移動の剪断力付加時に、プレパレーションＨ（Preparation H）（登録商標）を放出する、あるいはアロエベラゲルで冷却及び鎮静化させる、痔疾用アンダーパンツ基材；這い回る時に膝を保護するローション物質を具備した子供用膝パッド；冬にあかぎれした手のための手用ローション拭き取り用品；老化防止添加剤の皮膚への点状又は皮膚全体への送達；抗セルライト薬拭き取り用品；応力制御ポリマーを装填された皺防止拭き取り用品；肥厚した皮膚を１日かけて軟化させるかかと保護ローション；性器清浄化布；消毒剤を含む医療用拭き取り用品；皮膚を包帯に対して擦った時又は痛みを伴って動いた時にジェル又はローションを放出する、マイクロポケットを具備した傷用包帯；反対向きに動いた時に物質及び痛みを緩和するジェルを放出する、骨折用ギプスのためのライナー；チュアブル布帛内に挿入されるオラジェル（Orajel）（登録商標）、あるいは痛みのある歯又は歯肉の上に擦り付けるマイクロポケット布地−プラスチックストリップ；木製又は複合材の床に機械で適用するための床用ワックスを装填されたマイクロポケットを具備したディスク；水道から離れたところでひどい汚れが生じた時のための、液だれしないが液体含量の多いマイクロポケット付き肛門用拭き取り用品；マイクロポケット内で脂質低粘性コンディショナー、不織布層上に界面活性剤を具備した、顔用のクレンジング布；くしゃみをする時又は鼻水を拭き取る時に、鼻の外側又は内側の皮膚表面に鼻の保護物質を送達する、抗ヒスタミン懸濁液又は感冒薬を具備した鼻用ハンカチが挙げられる。
【００３３】
剪断力感応性マイクロポケット基材を使用する他の例は、これだけに限るものではないが、塗料、ラテックス、接着剤、外用鎮痛剤、化粧品、皺防止材料、及びポリマー含有量の多いメークアップ用品を含む、被膜形成物質の送達である。被膜形成物質は、永続性及び破壊耐性を増加させるために、標的表面上の実質的に不連続なフィルム又はパターン付きコーティングの形態で送達することができる。使用される物質が化粧品又は皺防止剤の時には、皮膚上の実質的に不連続な又は分離パターンのフィルムが、メークアップフィルムの永続性及び破壊耐性を増加させることに加えて、付加的な快適性を提供することができる。また、剪断力感応性マイクロポケット付き基材は、その中に含まれている物質から、やはり剪断力感応性のその複製を作成するための型として使用することもできる。剪断力感応性基材には、前述のように被膜形成物質を装填することができ、これを、これらの物質を含む基材と同一のマイクロポケット構造を有する、連続又は不連続な剪断力感応性フィルムとして標的表面上に送達することができる。そのような用途の例には、表面上又は２つの接合表面間への可撓性及び剪断力感応性接着剤コーティングの送達、皮膚用のポリマー含量の多い快適なメークアップフィルム、ヒト又は動物の体の可動関節、例えば、臀部、膝、足首、肘、肩、手首、指の関節、及び首上に快適なフィルムとして外部から適用される医薬品が挙げられるがこれだけに限るものではない。
【実施例】
【００３４】
以下の実施例は、本発明の範囲内の好ましい実施形態をさらに説明する。これらの実施例は、単に説明を目的として与えるものにすぎず、本発明の精神及び範囲から逸脱することなく本発明の多くの変形形態が可能であるので、これらが本発明を制限するものではない。これらの実施例は、本発明の１つ以上の利点、すなわち高効率の放出、持続放出性、十分な剪断力感応性、両面性、薄い基材内の多量の物質の格納、様々なレオロジー材料を拭き取り物品に装填する能力について説明する。実施例では、図１〜４に示すように、マイクロポケットを、長さＬが約０．１ｍｍと約１００ｍｍの間、より好ましくは約０．５ｍｍと約５０ｍｍの間；幅Ｗが約０．１ｍｍと約１０ｍｍの間、より好ましくは約０．２ｍｍと約５ｍｍの間；マイクロポケットの深さＤが約０．０５ｍｍと約１０ｍｍの間、より好ましくは約０．１ｍｍと約５ｍｍの間として記載している。それに対応して、各マイクロポケットは、約１００ピコリットルと約１０ミリリットルの間、より好ましくは約０．０１マイクロリットルと約１ミリリットルの間を保持する。実施例の実施形態では、単位面積当りのマイクロポケットの数を、１ｃｍ2当り約１個から１ｃｍ2当り約１００個、より好ましくは１ｃｍ2当り約２個から１ｃｍ2当り約５０個として記載している。実施例１〜２は、１ｃｍ2当り６個の、好ましい単位面積当りのマイクロポケット数を有しており、１０ｍｍの好ましい長さ、０．５ｍｍの好ましい幅、０．９ｍｍの好ましい深さを備えている。実施例３〜６は、１ｃｍ2当り１５個から１ｃｍ2当り２０個の、好ましい単位面積当りのマイクロポケット数を有しており、１ｍｍと５ｍｍの間の好ましい長さ、０．４ｍｍと０．５ｍｍの間の好ましい幅、０．４ｍｍと１．１ｍｍの間の好ましい深さを備えている。以下の実施例では、基材物品上に装填される物質の体積は、通常、典型的な１０ｃｍ×１０ｃｍのサイズの拭き取り物品で１ミリリットルと５０ミリリットルの間である。
【００３５】
（実施例１）ファンデーションアプリケータ、ハンド及びボディローションパッド
基材−マイクロポケットを具備した直鎖状低密度ポリエチレンフィルムと、クロペイ・プラスチック・プロダクツ社（Clopay Plastic Products Co.）（オハイオ州シンシナティ）から「１４０１」の表記で入手可能な厚さ約３０ミクロンのベースフィルムと、トレデガー・フィルム・プロダクツ社（Tredegar Film Products）（バージニア州リッチモンド）から入手可能な「ビスポア（VisPore）（商標）」のような真空孔あきポリエチレンフィルムと、ＢＢＡノンウブンズ・ドイツ社（BBA Nonwovens Germany GmbH）（ドイツ、ピーネ）から入手可能な「コロリンド（Corolind）（登録商標）」と表記される１平方メートル当り３０グラムの秤量のポリエチレン不織布とを含む、積層体を提供する。基材の構成成分を直径８０ミリメートルの円形に切断し、その後、以下に記載するように製品を調製する。任意選択で、マイクロポケットフィルムの背面に詰綿層をさらに含めて、把持部及び厚さを追加し、パッド様の形態を形成することもできることに留意されたい。この詰綿部は、エアクッション（bubble wrap）；フェルト；エアレイド綿又はセルロース；及び／又は発泡スチロールを含む、いずれかの厚い比較的軽量な材料を含むことができる。
物質−任意で油、シリコーン、水、アルコールのような流動体を含む、コンパクト、水中油型エマルション、油中水型エマルション、粉末を含有する懸濁液の形態のファンデーション及びスキンローション又はジェルを、すべて使用することができる。このパッドの例では、典型的な物質の装填量は、面積約１０ｃｍ×１０ｃｍのパッドで、５ミリリットルと２０ミリリットルの間である。
調製−マイクロポケットを具備した低密度ポリエチレンフィルム上に、物質を散布するか、又は噴霧する。充填後、過剰なファンデーションを除去し、装填されたフィルムを、例えば超音波結合によって孔あきフィルム及び不織布に積層する。あるいは、基材の多孔質側を通じてファンデーションをスキージングすることによって積層された基材全体に充填する。
【００３６】
（実施例２）日焼け止め拭き取り用品、乳幼児用拭き取り用品、制汗剤／防臭剤／リフレッシュ用拭き取り用品
基材−ＢＢＡノンウブンズ社（BBA Nonwovens）（サウスカロライナ州シンプソンビル）から入手可能な「ソフスパン（Sofspan）（登録商標）」と表記される、それぞれマイクロポケットを具備した、１平方メートル当り３３グラムの秤量の２層ポリプロピレン不織布を含む、積層体を提供する。あるいは、２層の「ソフスパン（Sofspan）（登録商標）」不織布の間にクロペイ（Clopay）１４０１マイクロポケットフィルムが積層された、３層拭き取り用品を提供する。
物質−日焼け止め剤、乳幼児用品、制汗剤、及び他のローションの配合を、酸化亜鉛、二酸化チタン、及びメトキシケイ皮酸オクチルのような活性物質の粉末状の組み合わせから、これらと、クレンジング剤、芳香剤、水、及び他の成分との配合までにわたり、クリーム、ローション、発泡体、ムース、懸濁液、及び液体の形態で提供する。
調製−使用時の層の滑り及びずれを防ぐために、積層体の層をパターンボンディングによって結合させる。日焼け止めローションを、例えば基材上に噴霧し、その後スキージングすることによって、基材に物質を充填する。これは、個々の拭き取り物品上で実施することができ、あるいはライン上で実施して、その後に、切断し、折り畳み、包装する工程を行うこともできる。典型的な物質の装填量は、面積約１０ｃｍ×１０ｃｍの拭き取り用品で、約２．５ミリリットルと約５ミリリットルの間である。
【００３７】
（実施例３）硬質表面用の湿潤清浄化布地
基材−この基材は、クロペイ・プラスチック・プロダクツ社（Clopay Plastic Products Co.）（オハイオ州シンシナティ）から入手可能な「１４０１」と表記される、マイクロポケットを具備した直鎖状低密度ポリエチレンフィルムであるベースフィルムに積層された、ＰＧＩノンウブンズ社（PGI Nonwovens）（アーカンソー州ロジャーズ）から得られる「ＩＤＤＵエイペックス（IDDU Apex）（登録商標）」と表記される基材の、ポリプロピレンスクリムを具備した１平方メートル当り６６グラムの湿式絡合ポリエステル不織布と；ＢＢＡノンウブンズ社（BBA Nonwovens）（サウスカロライナ州シンプソンビル）から入手可能な「ソフスパン（Sofspan）（登録商標）」と表記される、それぞれ１平方メートル当り１５グラムの秤量の２層ポリプロピレン不織布とを含む。任意選択で、プロクター・アンド・ギャンブル社（The Procter and Gamble Company）（オハイオ州シンシナティ）製の「バウンティ（Bounty）（登録商標）」紙タオルの層が含まれる。任意選択で、基材を、長い柄付きの道具のヘッド上に挟み又は包む。任意選択で、エラストマー系スクリムグラバー材料を積層又はコーティングされた、マイクロポケットフィルム及び／又はマイクロポケット不織布押出し成形体も、使用される。
物質−水、揮発性溶媒、例えばプロピレングリコール、アルコール、界面活性剤、及び芳香剤を含む、クレンザー処方を使用する。これらは、通常、低粘性の液体である。
調製−超音波又は熱結合を用いて、基材の全ての層を積層する。物質をスキージング又は噴霧し、折り畳んで、包装する。典型的な物質の装填量は、面積約１５ｃｍ×３０ｃｍの布で、２ミリリットルと５０ミリリットルの間である。
【００３８】
（実施例４）顔用の洗浄及びコンディショニング布地
基材−ＢＢＡノンウブンズ（BBA Nonwovens）（サウスカロライナ州シンプソンビル）から入手可能な「ソフテックス（Softex）（登録商標）」と表記される、１平方メートル当り６０グラムの秤量のマイクロポケット付き５０／５０の２成分ポリエチレン（シース）−ポリプロピレン（コア）の不織布であるベース不織布と、直鎖状低密度ポリエチレンマイクロポケットフィルムとを含み、ベースフィルムがクロペイ・プラスチック・プロダクツ社（Clopay Plastic Products Co.）（オハイオ州シンシナティ）から入手可能な「１４０１」という表記の厚さ３０ミクロンのものである、積層体を使用する。
物質−使用される物質は、スキンコンディショナー、例えばグリセリンペトロラタム、及びジメチコーンシリコーン流体、並びに界面活性剤の固体／ペースト／液体クレンジング処方を含むことができる。
調製−スロットコーティングによって、界面活性剤の固体又はペーストをマイクロポケット不織布上に付着させる。コンディショナー流体をマイクロポケットフィルム上に噴霧又は散布する。超音波又は熱結合によって、２層を合わせて結合させる。任意選択で、感圧接着剤により縁部を結合させることによって、あるいは不織布とフィルム層との間にポリビニルアルコールフィルムのような任意選択の水溶性ポリマーシート層を挿入することによって、不織布クレンジング層を剥離可能にする。典型的な物質の装填量は、面積約１０ｃｍ×１０ｃｍの拭き取り用品で、個々の物質それぞれ０．１ミリリットルと５ミリリットルの間である。
【００３９】
（実施例５）両面式清浄化スリーブ
基材−第１層として、ＰＧＩノンウブンズ社（PGI Nonwovens）（アーカンソー州ロジャーズ）から得られる「ＩＤＤＵエイペックス（IDDU Apex）（登録商標）」と表記される基材である、ポリプロピレンスクリムを具備した、１平方メートル当り６６グラムの秤量の湿式絡合ポリエステル不織布と；クロペイ・プラスチック・プロダクツ社（Clopay Plastic Products Co.）（オハイオ州シンシナティ）から入手可能な「１４０１」と表記される、ベースフィルムが厚さ３０ミクロンの、直鎖状低密度ポリエチレンフィルムマイクロポケットを含む、第１層に積層された第２層と；プロクター・アンド・ギャンブル社（The Procter and Gamble Company）（オハイオ州シンシナティ）製の「バウンティ（Bounty）（登録商標）」ペーパータオルのような紙タオルを含み、初めの２層に２つの対向縁部に沿って結合された第３層とを含む、３層積層体を使用する。
物質−水、揮発性溶媒、例えばプロピレングリコール、アルコール、界面活性剤、及び任意で芳香剤を含む、クレンザー処方を使用する。これらは、通常、低粘性の液体である。
調製−超音波結合によって、第１及び第２基材層を積層化する。超音波又は熱結合を用いて、第３層の２つの対向縁部を積層体に結合させて、スリーブを作製する。積層体の不織布側に物質をスキージング又は噴霧し、折り畳んで、包装する。典型的な物質の装填量は、面積約１０ｃｍ×１０ｃｍの拭き取り用品で、個々の物質それぞれ１ミリリットルと１５ミリリットルの間である。
【００４０】
（実施例６）染みの処理のため、又はドライクリーニング前の前処理としての、衣類拭き取り用品
基材−第１層として、ＢＢＡノンウブンズ社（BBA Nonwovens）（サウスカロライナ州シンプソンビル）から得られる「ソフスパン（Sofspan）（登録商標）」のような、１平方メートル当り３０グラムの秤量のポリプロピレン不織布と；クロペイ・プラスチック・プロダクツ社（Clopay Plastic Products Co.）（オハイオ州シンシナティ）から入手可能な「１４０１」と表記される、ベースフィルムが厚さ３０ミクロンの、直鎖状低密度ポリエチレンフィルムマイクロポケットを含む、第１層に積層された第２層と；プロクター・アンド・ギャンブル社（The Procter and Gamble Company）（オハイオ州シンシナティ）製の「バウンティ（Bounty）」ペーパータオルのような紙タオルを含む、初めの２層に２つの対向縁部に沿って結合された第３層とを含む、約２本指の幅及び長さの３層積層体を使用する。
物質−使用される物質は、皮革物品の染み処理のためのシクロメチコーン、あるいは、衣類の染みの前処理のための、プロクター・アンド・ギャンブル社（The Procter and Gamble Company）（オハイオ州シンシナティ）から得られる「ドライエール（Dryel）（登録商標）」前処理用品にすることができる。
調製−超音波結合によって、第１及び第２基材層を積層する。超音波又は熱結合を用いて、第３層の２つの対向縁部を積層体に結合させて、スリーブを作製する。積層体の不織布側に物質をスキージング又は噴霧し、折り畳んで、包装する。典型的な物質装填量は、６ｃｍ×４ｃｍのサイズの積層体で、０．１ミリリットルと１０ミリリットルの間である。
【図面の簡単な説明】
【００４１】
【図１】本発明の例示的な実施形態の上面図であり、物質が含有される剪断力感応性マイクロポケットの配列を有する基材片を開示している。
【図２】図１の材料の拡大部分上面図であり、剪断力感応性マイクロポケットの配列を示している。
【図３】線３−３に沿った、図２の材料の断面図であり、物質が充填された剪断力感応性マイクロポケットの断面図を示している。
【図３Ａ】ポリエチレンフィルム基材内の剪断力感応性マイクロポケットの実施形態の断面を示す、断面図の写真である。
【図４】剪断力感応性マイクロポケットを有する、本発明の基材の実施形態の上面図の２枚の写真を組み合わせたものであり、左の写真が空のマイクロポケットを示し、右の写真が、ポリエチレンフィルム基材内の、ローションを充填されたマイクロポケットを示している。
【図５Ａ】拭き取り時に基材の表面に沿って剪断力をかけられた時の、剪断力感応性マイクロポケットの実施形態の壁面の変形の断面図を示す、一連の写真である。
【図５Ｂ】拭き取り時に基材の表面に沿って剪断力をかけられた時の、剪断力感応性マイクロポケットの実施形態の壁面の変形の断面図を示す、一連の写真である。
【図５Ｃ】拭き取り時に基材の表面に沿って剪断力をかけられた時の、剪断力感応性マイクロポケットの実施形態の壁面の変形の断面図を示す、一連の写真である。
【図５Ｄ】拭き取り時に基材の表面に沿って剪断力をかけられた時の、剪断力感応性マイクロポケットの実施形態の壁面の変形の断面図を示す、一連の写真である。
【図６Ａ】基材の表面に垂直な圧縮力をかけられた時の、マイクロポケットの壁面の圧潰の断面図を示す、一連の写真である。
【図６Ｂ】基材の表面に垂直な圧縮力をかけられた時の、マイクロポケットの壁面の圧潰の断面図を示す、一連の写真である。
【図６Ｃ】基材の表面に垂直な圧縮力をかけられた時の、マイクロポケットの壁面の圧潰の断面図を示す、一連の写真である。
【図７】マイクロポケットのない対照基材に対する、剪断力感応性マイクロポケットを具備した基材の放出特性の概略的な比較である。
【図８】マイクロポケットの開口部が互いに向き合っている、剪断力感応性マイクロポケットを具備した２つの基材を組み合わせた、本発明の実施形態の断面図である。
【図９】１つの基材の各マイクロポケットが他の基材のマイクロポケット内に入れ子にされている、剪断力感応性マイクロポケットを具備した２つの基材を組み合わせた、本発明の実施形態の断面図である。
【図１０Ａ】１つの基材のマイクロポケット一式が、他の基材のマイクロポケットのない領域に噛み合っている、剪断力感応性マイクロポケットを具備した２つの基材を組み合わせた、本発明の実施形態の断面図である。
【図１０Ｂ】基材の両側にマイクロポケットの配列を具備した本発明の実施形態の断面図である。
【図１１】基材内の、底が丸い剪断力感応性マイクロポケットの配列の実施形態の断面図である。
【図１２】基材内の、２葉形（bilobal）の剪断力感応性マイクロポケットの配列の実施形態の断面図である。
【図１３】３枚の基材を組み合わせた本発明の実施形態の断面図であり、外側の２枚の基材がマイクロポケットと穿孔部とを有しており、この穿孔部が２枚の外側基材の間にある第３基材への又は第３基材からの物質の流れを可能にする。
【図１４】ポリエチレンフィルム基材内の剪断力感応性マイクロポケットの実施形態の平面写真であり、マイクロポケットが、マイクロポケットの開口部の反対側の基材表面から突き出ている。
【図１５】少なくとも２層の基材を結合させる結合パターンの上面図であり、基材の少なくとも１つが剪断力感応性マイクロポケットを有する。
【図１６】物質が剪断力感応性マイクロポケット内に入れられている、図１４の基材の実施形態の上面図である。
【図１７】同じ幅を有する、２つの異なる深さの剪断力感応性マイクロポケットを具備した基材の実施形態の断面図である。
【図１８】同じ深さを有する、２つの異なる幅の剪断力感応性マイクロポケットを具備した基材の実施形態の断面図である。
【図１９】本発明を含む基材上の剪断力感応性マイクロポケットの形状及び配置の他の好ましい実施形態の平面図である。
【図２０】本発明を含む基材上の剪断力感応性マイクロポケットの形状及び配置の他の好ましい実施形態の平面図である。
【図２１】本発明を含む基材上の剪断力感応性マイクロポケットの形状及び配置の他の好ましい実施形態の平面図である。
【図２２】本発明を含む基材上の剪断力感応性マイクロポケットの形状及び配置の他の好ましい実施形態の平面図である。
【図２３】本発明を含む基材上の剪断力感応性マイクロポケットの形状及び配置の他の好ましい実施形態の平面図である。
【図２４】本発明を含む基材上の剪断力感応性マイクロポケットの形状及び配置の他の好ましい実施形態の平面図である。
【図２５】本発明を含む基材上の剪断力感応性マイクロポケットの形状及び配置の他の好ましい実施形態の平面図である。
【図２６】本発明を含む基材上の剪断力感応性マイクロポケットの形状及び配置の他の好ましい実施形態の平面図である。
【図２７】本発明を含む基材上の剪断力感応性マイクロポケットの形状及び配置の他の好ましい実施形態の平面図である。
【図１】
2005507271.tif 000003
【図２】
2005507271.tif 000004
【図３】
2005507271.tif 000005
【図３Ａ】
2005507271.tif 000006
【図４】
2005507271.tif 000007
【図５Ａ】
2005507271.tif 000008
【図５Ｂ】
2005507271.tif 000009
【図５Ｃ】
2005507271.tif 000010
【図５Ｄ】
2005507271.tif 000011
【図６Ａ】
2005507271.tif 000012
【図６Ｂ】
2005507271.tif 000013
【図６Ｃ】
2005507271.tif 000014
【図７】
2005507271.tif 000015
【図８】
2005507271.tif 000016
【図９】
2005507271.tif 000017
【図１０Ａ】
2005507271.tif 000018
【図１０Ｂ】
2005507271.tif 000019
【図１１】
2005507271.tif 000020
【図１２】
2005507271.tif 000021
【図１３】
2005507271.tif 000022
【図１４】
2005507271.tif 000023
【図１５】
2005507271.tif 000024
【図１６】
2005507271.tif 000025
【図１７】
2005507271.tif 000026
【図１８】
2005507271.tif 000027
【図１９】
2005507271.tif 000028
【図２０】
2005507271.tif 000029
【図２１】
2005507271.tif 000030
【図２２】
2005507271.tif 000031
【図２３】
2005507271.tif 000032
【図２４】
2005507271.tif 000033
【図２５】
2005507271.tif 000034
【図２６】
2005507271.tif 000035
【図２７】
2005507271.tif 000036
【国際公開パンフレット】
2005507271.tif 000037
2005507271.tif 000038
2005507271.tif 000039
2005507271.tif 000040
2005507271.tif 000041
2005507271.tif 000042
2005507271.tif 000043
2005507271.tif 000044
2005507271.tif 000045
2005507271.tif 000046
2005507271.tif 000047
2005507271.tif 000048
2005507271.tif 000049
2005507271.tif 000050
2005507271.tif 000051
2005507271.tif 000052
2005507271.tif 000053
2005507271.tif 000054
2005507271.tif 000055
2005507271.tif 000056
2005507271.tif 000057
2005507271.tif 000058
2005507271.tif 000059
2005507271.tif 000060
2005507271.tif 000061
2005507271.tif 000062
2005507271.tif 000063
2005507271.tif 000064
2005507271.tif 000065
2005507271.tif 000066
2005507271.tif 000067
2005507271.tif 000068
2005507271.tif 000069
2005507271.tif 000070
2005507271.tif 000071
2005507271.tif 000072
2005507271.tif 000073
2005507271.tif 000074
2005507271.tif 000075
2005507271.tif 000076
2005507271.tif 000077
2005507271.tif 000078
2005507271.tif 000079
2005507271.tif 000080
【国際公開パンフレット（コレクトバージョン）】
2005507271.tif 000081
【国際調査報告】
2005507271.tif 000082
2005507271.tif 000083